(57)【要約】      （修正有）【課題】熱放散を改善した発光ダイオードランプを提供する。【解決手段】発光ダイオードランプは、熱放散装置４と、ヒートシンク５と、発光ユニットと、冷却駆動部材３と、で構成される。熱放散装置は、コラムユニット４１と冷却液コンテナ４２を含み、コラムユニット４１は、対極に位置する第一及び第二液体流路４１２、４１３を特徴とし、冷却液コンテナ４２は、中に冷却液２００を格納するための冷却液蓄積スペース４２１を特徴とする。ヒートシンク５は、熱放散装置４の上に取り付けられ、渦状液体流路５１を特徴とする。【選択図】図２
2011146371.tif 000002
【特許請求の範囲】
【請求項１】
熱放散装置（４）とヒートシンク（５）と発光ユニットと第一冷却駆動部材（３）を含む発光ダイオードランプであって、
前記熱放散装置（４）は、
コラムユニット（４１）と前記コラムユニット（４１）に接続された冷却液コンテナ（４２）とを含み、
前記コラムユニット（４１）は、
熱放散用の熱伝導材で作られ、互いに分離されて対極に位置する第一液体流路（４１２）及び第二液体流路（４１３）を有し、
前記冷却液コンテナ（４２）は、
中に冷却液（２００）を格納する冷却液蓄積スペース（４２１）を有し、
前記ヒートシンク（５）は、
熱放散装置（４）の上に取り付けられ、渦状液体流路（５１）を有し、
発光ユニットは、
少なくとも一個の発光ダイオード（６１）を含み、前記ヒートシンク（５）が発光ダイオード（６１）から発生する熱を取り除くことができるように、前記ヒートシンク（５）の上に取り付けられ、
前記第一冷却駆動部材（３）と前記ヒートシンク（５）と前記冷却液コンテナ（４２）と前記コラムユニット（４１）と、が連結されて、前記第一冷却駆動部材（３）が、循環する冷却液を通して前記ヒートシンク（５）からの熱を前記コラムユニット（４１）に移動させるために、前記第一液体流路（４１２）及び第二液体流路（４１３）と前記冷却液蓄積スペース（４２１）と前記渦状液体流路（５１）とを通って前記冷却液（２００）を循環させるように構成されている、
発光ダイオードランプ。
【請求項２】
さらに、前記発光ユニットに接続された電力線（３００）と、ベース（２）とを含み、
前記冷却液コンテナ（４２）の長さに沿って伸びる中央スルーホール（４２５）を有する前記冷却液コンテナ（４２）と、
前記コラムユニット（４１）の長さに沿って伸びる中心孔（４１１）を有する前記コラムユニット（４１）と、
前記ベース（２）の上に取り付けられた前記コラムユニット（４１）と、
前記ヒートシンク（５）と前記中央スルーホール（４２５）と前記中心孔（４１１）と前記ベース（２）とを通る前記電力線（３００）と、
を含む、請求項１に記載の発光ダイオードランプ。
【請求項３】
前記コラムユニット（４１）は、
空壁体（４０）と、
前記第一液体流路（４１２）及び第二液体流路（４１３）と、
前記中心孔（４１１）と、を有するコラムを含み、
前記空壁体（４０）は、
第一の端部（４０１）及び第二の端部（４０２）を有し、
前記空壁体（４０）にある前記第一の端部（４０１）及び第二の端部（４０２）を抜けて前記空壁体（４０）の長さに沿って伸びる中心孔（４１１）を有し、
前記第一液体流路（４１２）及び第二液体流路（４１３）は、
前記空壁体（４０）内に形成され、
前記空壁体（４０）にある前記第一の端部（４０１）及び第二の端部（４０２）を抜けて前記空壁体（４０）の長さに沿って伸び、
前記中空孔（４１１）は、
前記第一液体流路（４１２）及び第二液体流路（４１３）の間に配置される、
請求項１に記載の発光ダイオードランプ。
【請求項４】
前記のコラムの空壁体（４０）は、
前記第一の端部（４０１）及び第二の端部（４０２）の間に、前記空壁体（４０）の長さに沿って伸びる複数の溝（４０５）と、
前記の溝（４０５）と交互に配置された複数の熱放散フィン（４０６）と、で形成される、
請求項３に記載の発光ダイオードランプ。
【請求項５】
前記コラムユニット（４１）は、第一空壁体（４０’）及び第二空壁体（４０’）を含み、
前記第一空壁体（４０’）及び第二空壁体（４０’）は、ギャップによって互いに離れており、それぞれ前記第一液体流路（４１２）及び第二液体流路（４１３）を有して形成される、
請求項１に記載の発光ダイオードランプ。
【請求項６】
さらに、
接続パイプ（４２２）と、
前記コラムユニット（４１）の上部に配置される前記ヒートシンク（５）と、
前記ヒートシンク（５）と前記コラムユニット（４１）との間に配置される前記冷却液コンテナ（４２）と、を含み、
前記接続パイプ（４２２）は、
前記冷却液蓄積スペース（４２１）内を通って、前記ヒートシンク（５）の前記渦状液体流路（５１）と前記コラムユニット（４１）の前記第一液体流路（４１２）とに直接連結される、
請求項１に記載の発光ダイオードランプ。
【請求項７】
前記第一冷却駆動部材（３）は、
前記コラムユニット（４１）の下部に配置され、
排出口（３２）と吸引口（３３）を有し、
その両方が、前記冷却液コンテナ（４２）から前記第二液体流路（４１３）を通って前記吸引口（３３）へと冷却液を引き出し、前記排出口（３２）から前記第一液体流路（４１２）と前記接続パイプ（４２２）とを通って前記渦状液体流路（５１）へと冷却液を排出するために、それぞれ前記第一液体流路（４１２）及び第二液体流路（４１３）と流体連通する、
請求項６に記載の発光ダイオードランプ。
【請求項８】
さらに、
前記冷却液コンテナ（４２）の上部に配置され、前記ヒートシンク（５）と一体化し、前記渦状液体流路の一端と前記接続パイプ（４２２）とに流体連通する吸引口（３３’）と、前記渦状液体流路のもう一端と前記冷却液コンテナ（４２）とに流体連通する排出口（３２’）とを有する、第二冷却駆動部材（３’）を含む、請求項７に記載の発光ダイオードランプ。
【請求項９】
前記第一冷却駆動部材（３）は、
前記ヒートシンク（５）と一体化し、
吸引口（３３）と排出口（３２）を有し、
前記吸引口と前記排出口は、
前記渦状液体流路（５１）の両端それぞれと、
中間に配置されて、前記冷却液コンテナ（４２）と前記第一冷却駆動部材（３）とに接続された、前記コラムユニット（４１）とに、流体連通し、
前記冷却液コンテナ（４２）から前記第一液体流路（４１２）を通って前記渦状液体流路（５１）へと冷却液を引き出す、前記第一冷却駆動部材（３）は、
前記排出口（３２）から前記第二液体流路（４１３）を通って前記冷却液コンテナ（４２）へと冷却液を排出する、
請求項１に記載の発光ダイオードランプ。
【請求項１０】
さらに、
ピボット座体（２５）を備えるベース（２）と、
前記ピボット座体（２５）に旋回可能に設けられた中空ホルダー体（４８）と、
前記コラムユニット（４１）が垂直位置と水平位置の間を回転可能となるように、前記中空ホルダー体（４８）にしっかりとはめ込まれた前記冷却液コンテナ（４２）と、
を含む、請求項９に記載の発光ダイオードランプ。
【請求項１１】
前記熱放散装置（４）は、
第一の底板（２１）と、
前記第一の底板（２１）の下部に取り付けられた第二底板（８１）と、
前記第一及び第二底板（２１、８１）と相互に接続している増設コラム（８２）と、を含み、
前記第一の底板（２１）は、
前記第一底板（２１）から上向きに突き出した実装部（２２）を備え、そこにおいて前記第一冷却駆動部材（３）を受け止める受容スペースを有する、
請求項１に記載の発光ダイオードランプ。
【発明の詳細な説明】
【技術分野】
【０００１】
本発明は、発光ダイオードランプに関し、特に、液体冷却装置を有する発光ダイオードランプに関する。
【背景技術】
【０００２】
発光ダイオード（ＬＥＤ）は、小型化、高い耐衝撃性、長寿命、低消費電力等といった利点により、広く応用されてきた。ＬＥＤランプの発光ダイオードが、発光ダイオードの性能や寿命を引き下げる可能性があるほどの十分な量の熱を発する能力があるということは、当技術分野において知られている。従って、発光ダイオードの熱放散を改善する必要がある。
【０００３】
図１は、金属板１１と、金属板１１の上に並べて取り付けられた発光ダイオード１２と、金属板１１に取り付けられ、発光ダイオード１２から発生する熱を放散させるための複数の熱放散フィン１３１で形成されたヒートシンク１３を含む、従来のＬＥＤランプを示す。しかし、金属板１１からヒートシンク１３への熱伝達効率は比較的低く、そのために、ＬＥＤランプは、重心が高くなり、安定性を低下させることになり得る。
【０００４】
アメリカ合衆国特許公報番号２００８／００６９７０６に、熱放散システム用遠心力ポンプ装置について記載されている。前記遠心力ポンプ装置は、演算処理装置（ＣＰＵ）が発する熱を取り除く冷却液を流動させるために、ＣＰＵへの取付けが可能である。遠心力ポンプ装置は、ポンプ室と、吸引通路と、排出通路と、熱伝導材で作られたポンプハウジングユニット内のらせん状液体流路で形成される。吸引通路は、らせん状液体流路と流体連通する。排出通路は、ポンプ室と流体連通する。らせん状液体流路は、ポンプハウジングユニット内に形成された複数の開口部から、ポンプ室と流体連通する。遠心力ポンプ装置は、ＣＰＵが発する熱を取り除くため、らせん状液体流路を通して、冷却液を流動させる。アメリカ合衆国特許公報番号２００８／００６９７０６に開示される内容は、参照することにより本書に組み込まれる。
【発明の概要】
【発明が解決しようとする課題】
【０００５】
よって、本発明の主たる目的は、先行技術に関連する前記欠点を、ひとつでも解消できる発光ダイオードランプを提供することである。
【課題を解決するための手段】
【０００６】
結果として、本発明にて提供する発光ダイオードランプは、
コラムユニットとコラムユニットに接続された冷却液コンテナとを含み、且つ、コラムユニットは、熱放散用の熱伝導材で作られ、対極に位置する第一液体流路及び第二液体流路を有し、冷却液コンテナは、中に冷却液を格納する冷却液蓄積スペースを有する、熱放散装置と、
熱放散装置の上に取り付けられ、中の渦状液体流路を有する、ヒートシンクと、
少なくとも一個の発光ダイオードを含み、ヒートシンクが発光ダイオードから発生する熱を取り除くことができるように、ヒートシンク上に取り付けられた、発光ユニットと、
冷却駆動部材と、により構成される。
冷却駆動部材とヒートシンクと冷却液コンテナとコラムユニットとは、連結されており、冷却駆動部材が、循環する冷却液を通してヒートシンクからの熱をコラムユニットに移動させるために、第一及び第二液体流路と冷却液蓄積スペースと渦状液体流路に冷却液を循環させるようになっている。
【０００７】
本発明のその他の特徴及び利点は、図面を参照して行う以下の発明の好適な実施形態の詳細な説明から明らかとなろう。
【図面の簡単な説明】
【０００８】
【図１】従来型ＬＥＤランプの透視図である。
【図２】本発明に係るＬＥＤランプの、第一優先となる実施形態の断面透視図である。
【図３】第一優先となる実施形態における、コラムユニットとヒートシンクと冷却液コンテナを含む装置の断面透視図である。
【図４】本発明に係る第二優先となる実施形態における、コラムユニットの断面透視図である。
【図５】本発明に係る第三優先となる実施形態における、コラムユニットの断面透視図である。
【図６】本発明に係る第四優先となる実施形態の断面透視図である。
【図７】本発明に係る第五優先となる実施形態における、コラムユニットとヒートシンクと冷却駆動部材と冷却液コンテナを含む装置の断面透視図である。
【図８】前記第五優先となる実施形態における、ヒートシンクと冷却駆動部材を含む装置の分解透視図である。
【図９】本発明に係る第六優先となる実施形態の断面透視図であり、垂直に取り付けられたコラムユニットとヒートシンクと冷却液コンテナを含む装置を表している。
【図１０】前記第六優先となる実施形態の断面透視図であり、水平に取り付けられたコラムユニットとヒートシンクと冷却液コンテナを含む装置を表している。
【発明を実施するための形態】
【０００９】
図２及び３を参照する。
本発明に係るＬＥＤランプの第一優先となる実施形態は、
底板２１と、底板２１から上向きに突き出し、受容スペース２２１を特徴とする実装部２２と、を有するベース２と、
コラムユニット４１とコラムユニット４１に接続された冷却液コンテナ４２とを含み、  且つ、コラムユニット４１が、熱放散用の熱伝導材で作られ、対極に位置する第一液体流路４１２及び第二液体流路４１３を有し、コラムユニット４１の長さに沿って伸び、
冷却液コンテナ４２がその中に冷却液を格納する冷却液蓄積スペース４２１を有する、熱放散装置４と、
熱放散装置４の上に取り付けられ、中の渦状液体流路５１を有するヒートシンク５と、
少なくとも一個の発光ダイオード６１（この形態では並べて取り付けられた発光ダイオードを提供）を有し、ヒートシンク５が発光ダイオード６１から発生する熱を取り除くことができるように、ヒートシンク５の上に取り付けられた発光ユニットと、
実装部２２の内部にある受容スペース２２１で、しっかりと受け止められている第一冷却駆動部材３と、
発光ダイオード６１を覆うためにヒートシンク５の上に取り付けられたシェードカバー７と、を備えていることを示す。
第一冷却駆動部材３とヒートシンク５と冷却液コンテナ４２とコラムユニット４１とは、循環する冷却液２００を通してヒートシンクからの熱をコラムユニットに移動させるために、第一冷却駆動部材３が、第一液体流路４１２及び第二液体流路４１３と冷却液蓄積スペース４２１と渦状液体流路５１に、冷却液２００を循環させるように、連結される。
【００１０】
この実施形態において、コラムユニット４１は、ヒートシンク５を支えるスタンドとしての役割を果たし、且つ、第一の端部４０１及び第二の端部４０２を有し、空壁体４０にある第一の端部４０１及び第二の端部４０２を抜けて空壁体４０の長さに沿って伸びている中心孔４１１を有する、空壁体４０を備える円柱状体を含む。
空壁体４０は円筒形状である。
第一液体流路４１２及び第二液体流路４１３は、空壁体４０内に形成され、空壁体４０にある第一の端部４０１及び第二の端部４０２を抜けて空壁体４０の長さに沿って伸びる。
中空孔４１１は、第一液体流路４１２と第二液体流路４１３との間に配置され、空壁体４０に厚みのない薄壁部４１６が二箇所と、第一液体流路４１２及び第二液体流路４１３をそれぞれ有する厚壁部が二箇所とを有するように、実質的に外形的には楕円形である。
薄壁部４１６を有することにより、二箇所の厚壁部間の熱伝導効率が悪くなる可能性がある。従って、第一流路４１２を通過する冷却液２００と、第二流路４１３を通過する冷却液２００との間の熱の移動は、低減される可能性がある。
【００１１】
第一液体流路４１２及び第二液体流路４１３は、それぞれこの実施形態において直線状であるが、熱放散効率を高めるために、曲線状あるいは多重線状に延長することが設定可能である。
【００１２】
冷却液コンテナ４２は、中央スルーホール４２５を有する内部囲壁４５１と、間隙を介して内部囲壁４５１を囲っている外部囲壁４５２と、内部囲壁４５１及び外部囲壁４５２と相互に接続している頂壁４５３及び底壁４５４と、を有する。
【００１３】
ヒートシンク５は、コラムユニット４１の上部に配置され、且つ、冷却液コンテナ４２は、ヒートシンク５とコラムユニット４１の間に配置される。
接続パイプ４２２は、ヒートシンク５内の渦状液体流路５１が接続パイプ４２２を通って第一液体流路４１２と流体連通するように、冷却液蓄積スペース４２１の内部を貫通し、ヒートシンク５内の渦状液体流路５１とコラムユニット４１内の第一液体流路４１２とに直結される。
【００１４】
コラムユニット５の上部に冷却液コンテナ４２を配置し、コラムユニット４１の内部に第一液体流路４１２及び第二液体流路４１３を形成することは、気泡が冷却液コンテナ４２の中の冷却液２００に形成されるあるいは第一液体流路４１２及び第二液体流路４１３に流れ込む場合、気泡が渦状液体流路５１に流れ込む前に、冷却液コンテナ４２、あるいは第一液体流路４１２及び第二液体流路４１３の中で減少する時間を十分に持ち得る、という利点がある。
冷却液２００内の気泡の存在は、ヒートシンク５を冷やすための渦状液体流路５１内の冷却液２００の効果を低減する可能性がある。
第一冷却駆動部材３は、
遠心力ポンプであることが望ましく、
コラムユニット４１の下部に配置され、
且つ、冷却液２００を第二液体流路４１３を通って吸引口３３に引き込み、冷却液２００を排出口３２から第一液体流路４１２と接続パイプ４２２を通って渦状液体流路５１に流し出すために、それぞれ第一液体流路４１２及び第二液体流路４１３とに流体連通する排出口３２と吸引口３３とを有する。
【００１５】
接続管装置は、コラムユニット４１と冷却液コンテナ４２とヒートシンク５と第一冷却駆動部材３とを連結させるために使用され、
排出口３２の末端から第一液体流路４１２の中へ伸びている排出管３２１と、
吸引口３３の末端から第二液体流路４１３の中へ伸びている吸引管３３１と、
接続管４２２から第一液体流路４１２の中へ伸びている第一接続管４２６と、
冷却液コンテナ４２の底壁４５４にあるボトムホールから第二液体流路４１３の中へ伸びている第二接続管４２７と、
ヒートシンク５にある渦状液体流路５１の一端から接続パイプ４２２の中へ伸びている入口管５２と、
ヒートシンク５にある渦状液体流路５１のもう一端から冷却液コンテナ４２の頂壁４５３にあるトップホール４２４を通って冷却液蓄積スペース４２１の中へ伸びている出口管５３と、を含む。
その結果、接続管装置とヒートシンク５と冷却液コンテナ４２とコラムユニット４１と第一冷却駆動部材３とを連結し、渦状液体流路５１と冷却液蓄積スペース４２１と第一液体流路４１２及び第二液体流路４１３と第一冷却駆動部材３とを通る流動循環経路を構築することが可能となる。
【００１６】
電力線３００は、発光ダイオード６１と電気的に接続され、冷却液コンテナ４２の内部囲壁４５１にある中央スルーホール４２５と、コラムユニット４１の空壁体４０にある中心孔４１１と、電源（図示せず）に接続するためのベース２の実装部２２との中を通って伸びる。
【００１７】
作動中、冷却液２００は、冷却液コンテナ４２から取り出され、第一冷却駆動部材３によって第一液体流路４１２及び第二液体流路４１３と渦状液体流路５１とを流動し、そして、冷却液コンテナ４２へと戻ってくる。それによって、発光ダイオードから発生しヒートシンク５へ移動した熱を排出し、続いて熱をコラムユニット４１に移動させ、大気中に放熱させる。
【００１８】
図４は、本発明に係るＬＥＤランプの第二優先となる実施形態における、コラムユニット４１の柱状体を表す。第二優先となる実施形態は、第二優先となる実施形態でのコラムユニット４１の柱状体が、空壁体４０の第一の端部４０１及び第二の端部４０２の間に空壁体４０の長さに沿って伸びた複数の溝４０５と、溝４０５と交互に配置された複数の熱放散フィン４０６とで形成された空壁体４０とを有する点において、前の実施形態とは異なる。
【００１９】
図５は、本発明に係るＬＥＤランプの第三優先となる実施形態における、コラムユニット４１を表す。第三優先となる実施形態は、第三優先となる実施形態のコラムユニット４１が、ギャップ４１１’によって互いに離れている第一空壁体４０’及び第二空壁体４０’を有する点において、前の実施形態とは異なる。
【００２０】
改変された一実施形態では、第一空壁体４０’及び第二空壁体４０’の一方が直管状もしくは多重管状であることも可能である。
【００２１】
図６は、本発明に係るＬＥＤランプの第四優先となる実施形態を表す。第四優先となる実施形態は、第四優先となる実施形態の熱放散装置４が、さらに、ベース２にある第一の底板２１の下部に配置された第二底板８１と、発光ダイオード６１の高さを上げるために、第一の底板２１及び第二底板８１とに相互連結している増設コラム８２とを含む点において、前の実施形態とは異なる。
【００２２】
図７及び８は、本発明に係るＬＥＤランプの第五優先となる実施形態を表す。
第五優先となる実施形態は、第五優先となる実施形態のＬＥＤランプが、さらに、
冷却液コンテナ４２の上部に配置され、
ヒートシンク５と一体化し、
且つ、冷却液２００を、冷却液コンテナ４２から、第二液体流路４１３と第一冷却駆動部材３と第一液体流路４１２と接続パイプ４２２と吸引口３３’とを通って渦状液体流路５１へと取り出し、冷却液２００を排出口３２’から冷却液コンテナ４２へと排出するために、
渦状液体流路５１の一端と接続パイプ４２２とに流体連通する吸引口３３’と、
渦状液体流路５１のもう一端と冷却液コンテナ４２とに流体連通する排出口３２’と、を有する第二駆動部材３’を含む点において、前の実施形態とは異なる。
ヒートシンク５及び第二冷却駆動部材３’の装置（図８を参照）のデザインは、アメリカ合衆国特許公報番号２００８／００６９７０６で明示される遠心力ポンプ装置のそれに類似している。従って、ヒートシンク５及び第二冷却駆動部材３’の装置の構造は、便宜上ここでは詳細を記載しない。第一冷却駆動部材３と第二冷却駆動部材３’とは、同時もしくは個別に作動することが可能である。第二冷却駆動部材３’は、バックアップもしくは、コラムユニット４１の垂直方向での高さが比較的高い場合、連通循環経路で冷却液２００を循環させるのに十分な駆動力を増すためのブースターとして、使用可能である。
【００２３】
図９及び１０は、本発明に係るＬＥＤランプの第六優先となる実施形態を表す。
第六優先となる実施形態は、
第六優先となる実施形態の第一冷却駆動部材３が、ヒートシンク５と一体化し、渦状液体流路５１の二端とそれぞれ直接流体連通している吸引口３３と排出口３２とを有する点、
且つ、コラムユニット４１が、中間に配置され、第一冷却駆動部材３が冷却液コンテナ４２から第一液体流路４１２を通って渦状液体流路５１に冷却液２００を取り出し、排出口３２から第二液体流路４１３を通って冷却液コンテナ４２に冷却液２００を排出するという形で、冷却液コンテナ４２と第一冷却駆動部材３とに連結している点、において、前の実施形態とは異なる。
第六優先となる実施形態の第一冷却駆動部材３及びヒートシンク５の装置は、第五優先となる実施形態の第二冷却駆動部材３’とヒートシンク５の装置（図８を参照）と同じ構造を持つ。加えて、第六優先となる実施形態では、ベース２は、ピボット座体２５を備えている。ＬＥＤランプは、さらに、ベース２のピボット座体２５に旋回可能に設けられた中空ホルダー体４８を含む。冷却液コンテナ４２は、コラムユニット４１が垂直位置（図９を参照）と水平位置（図１０を参照）の間を回転可能となるように、中空ホルダー体４８にしっかりとはめ込まれる。
【００２４】
それ故、冷却液２００を循環させるため、本発明に係るＬＥＤランプのコラムユニット４１にある第一液体流路４１２及び第二液体流路４１３を形成することにより、発光ダイオード６１の熱放散は向上され得る。さらに、ヒートシンク５は、先行技術によって必要とされる通り、熱放散を高めるための熱放散フィンを形成することや、それによってＬＥＤランプが安定性を増した低目の重心を持つことができるようにすることなく、作られることが可能である。
【００２５】
本発明は、最も実践的で好ましい形態と思われるものに関連して記載されているが、本発明が、明示された形態に限らず、あらゆる修正や同等の構成を網羅するために、最も広い解釈から成る精神と範囲の中で様々な構成に広がることを目的とするということを、認識し同意する。
【符号の説明】
【００２６】
１１  金属板
１２  発光ダイオード
１３  ヒートシンク
１３１  熱放散フィン
２  ベース
２００  冷却液
２１  底板
２２  実装部
２２１  受容スペース
２５  ピボット座体
３  第一冷却駆動部材
３’  第二冷却駆動部材
３００  電力線
３２  ３２’  排出口
３２１  排出管
３３  ３３’  吸引口
３３１  吸引管
４  熱放散装置
４０  ４０’  空壁体
４０１  第一の端部
４０２  第二の端部
４０５  溝
４０６  熱放散フィン
４１  コラムユニット
４１１  中心孔
４１１’  ギャップ
４１２  第一液体流路
４１３  第二液体流路
４１６  薄壁部
４２  冷却液コンテナ
４２１  冷却液蓄積スペース
４２２  接続パイプ
４２４  トップホール
４２５  中央スルーホール
４２６  第一接続管
４２７  第二接続管
４５１  内部囲壁
４５２  外部囲壁
４５３  頂壁
４５４  底壁
４８  中空ホルダー体
５  ヒートシンク
５１  渦状液体流路
５２  入口管
５３  出口管
６１  発光ダイオード
７  シェードカバー
８１  第二底板
８２  増設コラム
【図１】
2011146371.tif 000003
【図２】
2011146371.tif 000004
【図３】
2011146371.tif 000005
【図４】
2011146371.tif 000006
【図５】
2011146371.tif 000007
【図６】
2011146371.tif 000008
【図７】
2011146371.tif 000009
【図８】
2011146371.tif 000010
【図９】
2011146371.tif 000011
【図１０】
2011146371.tif 000012
【外国語明細書】
2011146371000001.pdf
2011146371000002.pdf
2011146371000003.pdf
2011146371000004.pdf